(57)【要約】【課題】ロードセルの４箇所の薄肉部のうちの２箇所にほぼ円形の孔を設けることで、ロードセルの基本性能を向上させる。【解決手段】ロードセル１０は、長手方向の２箇所に薄肉部１８が形成された上下一対の平行ビーム１４，１５のそれぞれの端部が固定部１６と可動部１７で接続一体化された起歪体１２と、薄肉部１８に接着された歪ゲージ２０とを備え、引張側薄肉部１８ａの一方と圧縮側薄肉部１８ｂの一方に歪ゲージ２０をそれぞれ接着し、残りの２箇所の薄肉部１８に円孔１００を設ける。円孔１００を設けた薄肉部１８に発生するエッジロードが低下することに起因して、測定誤差の低減、測定開始時間の短縮等のロードセルの性能が向上する。【選択図】図１
2014073110.tif 000002
【特許請求の範囲】
【請求項１】
長手方向前後２箇所に薄肉部をそれぞれ設けた上下一対の平行ビームの端部が固定部と可動部で接続されてロバーバル機構を構成する起歪体と、前記薄肉部に接着された歪ゲージとを備えたロバーバル型ロードセルにおいて、
前記可動部に下向き荷重が作用した場合には、前記全４箇所の薄肉部のうち、上ビームの可動部寄りの薄肉部および下ビームの固定部寄りの薄肉部には圧縮応力がそれぞれ作用し、上ビームの固定部寄りの薄肉部および下ビームの可動部寄りの薄肉部には引張応力がそれぞれ作用するが、
前記引張応力が作用する薄肉部２箇所のうちのいずれか一方、および前記圧縮応力が作用する薄肉部２箇所のうちのいずれか一方には、前記歪ゲージがそれぞれ接着されるとともに、前記歪ゲージを接着しない残りの薄肉部２箇所の幅方向中央部には、略円形の孔がそれぞれ設けられたことを特徴とするロバーバル型ロードセル。
【請求項２】
前記上ビームの２箇所の薄肉部には、前記歪ゲージがそれぞれ接着されるとともに、前記下ビームの２箇所の薄肉部には、前記略円形の孔がそれぞれ設けられたことを特徴とする請求項１に記載のロバーバル型ロードセル。
【請求項３】
前記下ビームの２箇所の薄肉部には、前記歪ゲージがそれぞれ接着されるとともに、前記上ビームの２箇所の薄肉部には、前記略円形の孔がそれぞれ設けられたことを特徴とする請求項１に記載のロバーバル型ロードセル。
【請求項４】
前記上下一対のビームの固定部寄りのそれぞれの薄肉部には、前記歪ゲージがそれぞれ接着されるとともに、前記上下一対のビームの可動部寄りのそれぞれの薄肉部には、前記略円形の孔がそれぞれ設けられたことを特徴とする請求項１に記載のロバーバル型ロードセル。
【請求項５】
前記上下のビームの可動部寄りのそれぞれの薄肉部には、前記歪ゲージがそれぞれ接着されるとともに、前記上下のビームの固定部寄りのそれぞれの薄肉部には、前記略円形の孔がそれぞれ設けられたことを特徴とする請求項１に記載のロバーバル型ロードセル。
【発明の詳細な説明】
【技術分野】
【０００１】
本発明はロードセルに係り、特に、長手方向前後２箇所に薄肉部をそれぞれ設けた上下一対の平行ビームの端部が固定部と可動部で接続一体化されてロバーバル機構を構成する起歪体を備えたロバーバル型ロードセルに関する。
【背景技術】
【０００２】
この種のロードセルは、例えば商工業用はかり等に使用されており、たとえば、下記特許文献１に示すように、上下それぞれ２ヶ所の合計４箇所に薄肉部を有するロバーバル機構である起歪体を備えている。起歪体は、その根元側がハウジングなどに固定されて片持ち状に配設され、その先端側に荷重が負荷される。４箇所の薄肉部は、起歪体に荷重を負荷した際に、２箇所が引張側、残り２箇所が圧縮側となり、引張側と圧縮側のそれぞれの薄肉部には歪ゲージが接着されている。４つの歪ゲージは接続されてホイートストンブリッジ回路を構成している。
【先行技術文献】
【特許文献】
【０００３】
【特許文献１】特開平８−１８４５１０
【発明の概要】
【発明が解決しようとする課題】
【０００４】
しかしながら、従来のロードセルは、側面貫通孔を設けた矩形状ブロック体で構成されており、製造し易いことと実績があるという理由で、多少の大きさの違いが有るものの、昔から同じ様な形状のままであった。【０００５】
このため、ロードセルの性能も昔からわずかに向上しているに過ぎない。このわずかな性能の向上も、主に歪ゲージの性能、起歪体の素材の改良、ロードセル製造技術の進歩によるものであって、ロードセル（起歪体）の形状の工夫によるものではなかった。【０００６】
このように、ロードセル（起歪体）の形状を工夫することによってロードセルの性能を改善しようとする試みは、現在まで全くなされていなかった。
このような背景の下、ロードセルを備えた電子天秤では、秤量物を電子天秤の計量皿に載せた直後は測定値がふらつくものの、暫くして安定する。これは、薄肉部に発生する歪（応力）が安定するまで時間がかかるためであるが、この測定値が安定するまでの時間が短いほどロードセルが高性能といえる。【０００７】
そこで、発明者は、薄肉部の形状を工夫することで、測定値が安定するまでの時間（薄肉部に発生する応力が安定するまでの時間）を短縮できないか、と考えた。【０００８】
そして、発明者は、まず、上下２箇所ずつ全４箇所の薄肉部に歪ゲージを接着した従来構造のロードセル（起歪体）を用いて、ロードセルに荷重を負荷させた場合の薄肉部に発生する応力を有限要素法により解析した。【０００９】
すると、図７（ｃ）に示すように、薄肉部に発生する応力は、幅方向中央部付近では、ほぼ一定の大きさを示すのに対し、幅方向両端部では、中央部付近の値よりも大きな値を示す。薄肉部に発生する応力の値は、理屈上は幅方向に均一となるはずであるが、実際には、両端部において大きくなった。【００１０】
発明者が考察した結果、ロードセル（起歪体）の薄肉部の幅方向両端部に発生するこの大きな応力は、「ころ軸受け」業界では周知の「エッジロード」に相当すると考えられる。【００１１】
即ち、例えば、円筒状の「ころ」が内輪と外輪の間で転がるように構成されている「ころ軸受け」では、円筒状の「ころ」と内輪の接触応力は、「ころ」の幅方向で均一なはずであるが、実際には均一ではなく、「ころ」の両端部の応力が中央部付近の応力よりも大きくなることが知られており、「ころ」の両端部に発生するこの大きな応力は、「エッジロード」と呼ばれている。【００１２】
そして、ロードセル（起歪体）に荷重を負荷した場合の薄肉部にも、「ころ軸受け」と同様に、薄肉部の端部（以下、エッジ部という）に「エッジロード」が発生していると考えられる。【００１３】
このように、ロードセル（起歪体）に荷重を負荷したときの薄肉部に発生する応力は、薄肉部の両端部にエッジロードが発生するため、幅中央部付近と両端部付近で不均衡となる。このため、薄肉部中央部付近に接着されている歪ゲージが応力を感受するときに、エッジロードの影響を受けて、測定誤差となるし、薄肉部における幅方向の応力がバランスして安定するまで測定値も安定しない（測定値が安定するまで所定時間がかかる）、と考えられる。【００１４】
また、計量皿の四隅などに偏荷重を加えるとロードセル（起歪体）がねじられるが、この場合の薄肉部に発生する応力もエッジロードの影響を受けると考えられる。【００１５】
即ち、ロードセル（起歪体）がねじられる場合は、ロードセル（起歪体）の幅方向中央に前後に延びる仮想中立軸が存在し、ロードセル（起歪体）はこの仮想中立軸を中心として回転する。しかし、この仮想中立軸はロードセル（起歪体）の幅方向中央付近というだけで、その位置は明確に決まっているものではない。しかも薄肉部の幅方向両端部に発生したエッジロードがやはり中央部付近の応力に影響を及ぼすため、これが測定誤差となるし、薄肉部における幅方向の応力がバランスして安定するまで測定値も安定しない（偏荷重が負荷として作用する場合も、測定値が安定するまで所定の時間がかかる）、と考えられる。【００１６】
また、ロードセルが過負荷によって破損する実験を行なったところ、ロードセルの薄肉部に塑性変形が生じ、これによりロードセル（薄肉部）が破損した。【００１７】
このときの薄肉部の変形は、薄肉部の幅方向の一方の端部から変形が始まり、塑性変形が反対側端部まで伝わり、薄肉部中央付近に直線状の筋が発生する。即ち、筋は、薄肉部の幅方向の一方の端部を起点として発生し、反対側の端部に延びることも、薄肉部の幅方向の端部にエッジロードが発生していることを示唆している。【００１８】
このように、従来のロードセルでは、薄肉部に発生するエッジロードが「測定誤差」や「測定値が安定するまでの時間」といった、ロードセルの性能に関連することから、発明者は、薄肉部に発生するエッジロードを小さくできれば、ロードセルの性能を改善できるのではないかと考えた。【００１９】
そこで、発明者は、先ず、薄肉部に円孔を設けた場合に、薄肉部に発生するエッジロードがどのようになるか、薄肉部に発生する応力が安定するまでの時間はどう変わるか等を検討する過程で、従来構造のロードセルを構成する起歪体の下ビームの２箇所の薄肉部にだけ円孔を設けたロバーバル機構を試作した。【００２０】
即ち、起歪体の上ビームの２箇所の薄肉部（円孔を設けない薄肉部）には歪ゲージをそれぞれ接着し、歪ゲージを接着しない下ビームの２箇所の薄肉部の幅方向中央部には円孔をそれぞれ設けたロードセルを試作し、孔を設けた薄肉部および孔を設けない薄肉部にそれぞれ発生する応力を有限要素法により解析した。【００２１】
すると、孔を設けた薄肉部では、図７（ａ）に示すように、孔周縁部の２箇所が新たな端部（エッジ部）となって、全４箇所の端部（エッジ部）においてエッジロードが発生した。このエッジロードの値Ｈ３は、従来のロードセル（起歪体）の薄肉部に発生するエッジロードの値Ｈ１（図７（ｃ）参照）よりも低い値（Ｈ３＜Ｈ１）であった。【００２２】
一方、孔を設けない薄肉部では、図７（ｂ）に示すように、従来のロードセルにおける薄肉部で発生する応力分布（図７（ｃ）参照）と同じような応力分布となるが、端部（エッジ部）に発生するエッジロードの値Ｈ２が、従来のロードセルのエッジロードの値Ｈ１よりも僅かに低かった（Ｈ３＜Ｈ２＜Ｈ１）。【００２３】
これは、孔を設けることでエッジロードの値が小さくなる等、２箇所の薄肉部の特性が変化することで、孔を設けない他の２箇所の薄肉部の特性に影響を与えたものと推察される。【００２４】
そして、試作したロードセルでは、従来のロードセルに比べて測定誤差が少なく、測定値が安定するまでの時間も短縮される等、ロードセルの性能を改善する上で有効であることが確認されたことを受けて、この度の特許出願に至ったものである。【００２５】
本発明は、前記した従来の問題点および発明者の前記した知見に基づいてなされたもので、その目的は、ロードセルの４箇所の薄肉部のうちの２箇所に孔を設けることで、ロードセルの基本性能を向上させることにある。
【課題を解決するための手段】
【００２６】
前記した目的を達成するために、請求項１に係るロバーバル型ロードセルにおいては、長手方向前後２箇所に薄肉部をそれぞれ設けた上下一対の平行ビームの端部が固定部と可動部で接続されてロバーバル機構を構成する起歪体と、前記薄肉部に接着された歪ゲージとを備えたロバーバル型ロードセルにおいて、
前記可動部に下向き荷重が作用した場合には、前記全４箇所の薄肉部のうち、上ビームの可動部寄りの薄肉部および下ビームの固定部寄りの薄肉部には圧縮応力がそれぞれ作用し、上ビームの固定部寄りの薄肉部および下ビームの可動部寄りの薄肉部には引張応力がそれぞれ作用するが、
前記引張応力が作用する薄肉部２箇所のうちのいずれか一方、および前記圧縮応力が作用する薄肉部２箇所のうちのいずれか一方には、前記歪ゲージをそれぞれ接着するとともに、前記歪ゲージを接着しない残りの薄肉部２箇所の幅方向中央部には、略円形の孔をそれぞれ設けるように構成した。【００２７】
（作用）従来のロードセル（起歪体）に荷重を負荷すると、薄肉部の両端部の２箇所にエッジロードが発生する（図７（ｃ）参照）。一方、従来のロードセル（起歪体）の薄肉部の幅方向中央部に略円形の孔を設けると、薄肉部の両端部と孔の周縁端部の全４箇所にエッジロードが発生し、従来のロードセルの薄肉部で発生するエッジロードよりもその値が小さくなる。【００２８】
即ち、本発明のロードセル（起歪体）における、歪ゲージが接着された２箇所の薄肉部（孔を設けない薄肉部）では、「薄肉部の両端部で相対的に値の大きいエッジロードが発生し、薄肉部の幅方向の応力がバランスして安定するまでの時間が相対的に長い」という本来の特性をもち、略円形の孔が設けられた残りの２箇所の薄肉部では、「薄肉部の両端部に加えて孔の周縁端部の４箇所でエッジロードが発生するものの、それぞれのエッジロードの大きさは相対的に小さく、薄肉部の幅方向の応力がバランスして安定するまでの時間が相対的に短い」という本来の特性をもつ。【００２９】
然るに、ロードセル（起歪体）は、４箇所の薄肉部を支点とするロバーバル機構を構成するため、４箇所の薄肉部が全てほぼ同一の特性となるように自動的に調整される。詳しくは、孔を設けた２箇所の薄肉部では、歪ゲージが接着された２箇所の薄肉部（孔を設けない薄肉部）の特性の影響を受けて、孔を設けた薄肉部本来の特性よりも、エッジロードの値が大きくなり、薄肉部の幅方向の応力がバランスして安定するまでの時間が延びるの対し、歪ゲージを接着した２箇所の薄肉部（孔を設けない薄肉部）では、孔を設けた２箇所の薄肉部の特性の影響を受けて、孔を設けない薄肉部本来の特性よりも、エッジロードの値が小さくなり、薄肉部の幅方向の応力がバランスして安定するまでの時間も短縮されたものとなる。【００３０】
この結果、第１には、従来のロードセル（起歪体）に比べて、歪ゲージを接着した薄肉部に発生するエッジロードの値が小さくなる（Ｈ２＜Ｈ１）分、歪ゲージが応力を感受するときに、エッジロードの影響を受けにくく、測定誤差が少なくなる。【００３１】
第２には、従来のロードセル（起歪体）に比べて、歪ゲージを接着したエッジロードの値が小さくなる（Ｈ２＜Ｈ１）分、薄肉部の幅方向の応力がバランスして安定するまでの時間が短縮される（測定を開始できるまでの時間が短縮される）。【００３２】
また、歪ゲージを接着した薄肉部の幅方向の応力がバランスして安定するまでの時間（測定を開始できるまでの時間）が短縮されることについては、以下のように説明することもできる。【００３３】
即ち、ロードセル（起歪体）の４箇所の薄肉部では、孔の有無によってエッジロードの大きさ、薄肉部の剛性および重さが異なる。このため、ロードセルに荷重が負荷された場合、孔の有無によって薄肉部がそれぞれ違う動きをし、相互の異なる動きが干渉し合って薄肉部の動き（ロバーバル機構の動き）を収束する力が働く。この結果、薄肉部の動き（ロバーバル機構の動き）が止まり、応力安定状態に達するまでの時間が短縮される、と考えられる。【００３４】
また、薄肉部は、横から見て、外側直線・内側円弧状に形成されて、内側円弧の頂点に最大応力が発生するように設計されて、ロバーバル変形の起点でもある。そして、薄肉部が変形する際の内側円弧の頂点に発生する応力は、内側円弧の頂点近傍では厚さがほほ同じであるため、薄肉部は内側円弧の頂点近辺を起点として変形していると考えられる。【００３５】
然るに、孔を設けた薄肉部では、薄肉部を平面視して起歪体の幅方向の中心に孔があるため、薄肉部における孔を挟んだ左右の領域であって孔の中心を通り左右に延びる、最小面積となる横断面に最大応力が発生する。さらにこの横断面位置は、薄肉部を横から見た場合の内側円弧の頂点と一致する。【００３６】
従って、内側円弧の頂点に一致するこの横断面には確実に最大応力が生じ、この横断面が確実にロバーバル変形の起点となる。そして、孔を設けた薄肉部２箇所の内側円弧のそれぞれの頂点が必ずロバーバル変形の起点となることで、歪ゲージを接着した２箇所の薄肉部（孔を設けない薄肉部）も、孔を設けた２箇所の薄肉部に倣うように、内側円弧のそれぞれの頂点を起点としてロバーバル変形する。即ち、全ての薄肉部に孔を設けていない従来のロードセル（起歪体）に比べて、ロバーバル変形の正確性および再現性も上がる。【００３７】
なお、薄肉部に設ける孔を略円形として説明したが、孔の形状は、矩形であっても、略円形の孔と同様の作用・効果が奏されるが、薄肉部に矩形の孔を設けることは可能ではあるが、加工が難しく、それだけ費用と時間がかかるため、略円形の孔が望ましい。そして、略円形の孔には、楕円形の孔は勿論、起歪体の幅方向に伸びる長孔も含まれる。【００３８】
また、起歪体の４箇所の薄肉部のうちのどの薄肉部２箇所に孔を設けるかによって、請求項２〜５に示す、以下の４つの形態がある。【００３９】
即ち、請求項２においては、請求項１に記載のロバーバル型ロードセルにおいて、前記上ビームの２箇所の薄肉部に前記歪ゲージをそれぞれ接着するとともに、前記下ビームの２箇所の薄肉部に前記略円形の孔をそれぞれ設けるように構成した。【００４０】
また、請求項３においては、請求項１に記載のロバーバル型ロードセルにおいて、前記下ビームの２箇所の薄肉部に前記歪ゲージをそれぞれ接着するとともに、前記上ビームの２箇所の薄肉部に前記略円形の孔をそれぞれ設けるように構成した。【００４１】
また、請求項４においては、請求項１に記載のロバーバル型ロードセルにおいて、前記上下一対のビームの固定部寄りのそれぞれの薄肉部に前記歪ゲージをそれぞれ接着するとともに、前記上下一対のビームの可動部寄りのそれぞれの薄肉部に前記略円形の孔をそれぞれ設けるように構成した。【００４２】
また、請求項５においては、請求項１に記載のロバーバル型ロードセルにおいて、前記上下のビームの可動部寄りのそれぞれの薄肉部に前記歪ゲージをそれぞれ接着するとともに、前記上下のビームの固定部寄りのそれぞれの薄肉部に前記略円形の孔をそれぞれ設けるように構成した。
【発明の効果】
【００４３】
本発明のロバーバル型ロードセルによれば、測定誤差、測定開始可能時間、ロバーバル変形の正確性や再現性等の基本性能に優れたロードセルが提供される。【００４４】
また、本体ケース上に本発明に係るロバーバル型ロードセルが配設されるなど、本体ケースの外部にロードセルが露呈している電子天秤であって、ロードセルの周辺領域の水洗いが可能な電子天秤では、下ビームの薄肉部に設けた孔が排水孔として機能するので、ロードセル（起歪体）の下ビームに水が残りにくく、さらに、水洗いの際に歪ゲージに水がかかりにくいという点で、請求項２の発明が特に有効である。
【図面の簡単な説明】
【００４５】
【図１】第１の実施形態のロードセルを示す斜視図である。
【図２】同ロードセルの分解斜視図である。
【図３】図１のIII−III線に沿うロードセルの断面図である。
【図４】底面側から見た同ロードセルの斜視図である。
【図５】同ロードセル（起歪体）の縦断面図（図２のＶ−Ｖ線に沿う断面図）である。
【図６】同ロードセル（起歪体）の薄肉部を拡大して示す図で、（ａ）は薄肉部の平面図（図５のＶI−ＶI線に沿う断面図）、（ｂ）は薄肉部の側面図である。
【図７】同ロードセルの薄肉部に発生する応力を従来のロードセル（比較例）の薄肉部に発生する応力と比較して示す図で、（ａ）は同ロードセルの上ビームの薄肉部に発生する応力を示す斜視図、（ｂ）は同ロードセルの下ビームの薄肉部（孔を設けた薄肉部）に発生する応力を示す斜視図、（ｃ）は従来のロードセル（比較例）の薄肉部に発生する応力を示す斜視図である。
【図８】同ロードセルを組み込んだ四隅誤差測定装置を示し、（ａ）は同測定装置の断面図、（ｂ）は偏荷重の作用位置を示す同測定装置の平面図である。
【図９】同ロードセルの四隅誤差を従来のロードセル（比較例）の四隅誤差と比較して示す図で、（ａ）は同ロードセルの四隅誤差を示す図、（ｂ）は従来のロードセル（比較例）の四隅誤差を示す図である。
【図１０】第１の実施形態のロードセルを適用した電子天秤の斜視図である。
【図１１】同電子天秤の縦断面図（図１０に示すＸＩ−ＸＩ線に沿う断面図）である。
【図１２】第２の実施形態のロードセルの縦断面図である。
【図１３】第３の実施形態のロードセルの縦断面図である。
【図１４】第４の実施形態のロードセルの縦断面図である。
【発明を実施するための形態】
【００４６】
以下、添付図面に従って、本発明に係るロードセルの好ましい実施形態について説明する。図１は、本発明が適用された第１の実施形態のロバーバル型ロードセル１０を示す斜視図であり、図２は、同ロードセルの分解斜視図、図３は、同ロードセルの水平断面図（図１のIII−III線に沿う断面図）、図４は、底面側から見た同ロードセルの斜視図、図５は、同ロードセルの縦断面図（図２のＶ−Ｖ線に沿う断面図）、図６は同ロードセル（起歪体）の薄肉部を拡大して示す図で、（ａ）は薄肉部の平面図（図５のＶI−ＶI線に沿う断面図）、（ｂ）は薄肉部の側面図である。
【００４７】
これらの図に示すように、ロードセル１０は主として、起歪体１２、歪ゲージ２０、過荷重防止用ストッパ３０で構成される。
【００４８】
起歪体１２は、アルミ等の金属材から成り、たとえば一定形状に押し出し成形したものを一定の幅で切断し、必要に応じて切削加工することによって製造される。この起歪体１２には、幅方向（矢印α方向）に貫通する略眼鏡状の貫通孔１３が形成されており、この貫通孔１３が形成されることによって、起歪体１２は、平行に配設された上ビーム１４と下ビーム１５、上下一対のビーム１４，１５の両端部をそれぞれ接続する固定部１６と可動部１７、上ビーム１４と下ビーム１５のそれぞれ対向する位置に設けられた２個所の薄肉部１８を備えたロバーバル機構を構成している。薄肉部１８は合計４個所形成されており、可動部１７に負荷をかけて起歪体１２が変形した際に２個の薄肉部１８は引っ張られ、残りの２個の薄肉部１８は圧縮される。
【００４９】
図では、引張側の薄肉部は１８ａ、圧縮側の薄肉部は１８ｂとして示されており、本実施の形態では、上ビーム１４の引張側（図の右側）の薄肉部１８（１８ａ）および圧縮側（図の左側）の薄肉部１８（１８ｂ）にそれぞれ２個の歪ゲージ２０が貼り付けられている。歪ゲージ２０は、電気的に接続されてブリッジ回路が構成されている。
【００５０】
一方、固定部１６は、ケース等の装置本体（不図示）に固定される部分であり、本実施の形態では、底面にネジ孔（不図示）が形成され、下側からネジ止めされて装置本体に固定される。起歪体１２における固定部１６の反対側には、可動部１７が設けられている。可動部１７は、秤量皿（不図示）が接続される部分であり、本実施の形態では上面にネジ孔２１が形成され、秤量皿（不図示）の支持部材等が上側からネジ止めにより固定される。この可動部１７の内側の側面（貫通孔１３に臨む側面）には、起歪体１２の幅方向に延びるストッパ係合用凹部１９が形成されている。凹部１９は、起歪体１２の幅方向において一定の形状に形成されており、凹部１９の内側には、ストッパ３０の先端部３２の一部が配置されている。
【００５１】
過荷重防止用ストッパ３０は、凹部１９内に配置される先端部３２と、起歪体１２の固定部の側面に固定される基端部３４を備え、起歪体１２と同じ材質（たとえばアルミ材）によって一体的に形成されている。
【００５２】
ストッパ先端部３２は、貫通孔１３の内側に非接触で配置可能な形状（例えば所定の厚みをもったプレート状）に形成されている。また、先端部３２は、起歪体１２の幅よりも大きい幅に形成されており、ストッパ３０を起歪体１２に固定した時に、図３符号３２ｂで示すように、可動部１７の幅方向外側に突出する。さらにストッパ先端部３２の先端３２ａは、可動部１７の凹部１９内に非接触で配置され、上面および下面が平行で平坦に形成された先端部３２は、凹部１９内に配置された際に、凹部１９の上下面との間に所定のクリアランスが形成される。
【００５３】
一方、ストッパ基端部３４は、起歪体１２の固定部１６の外側面に面接触する部位である幅広板状の側板部３６を備え、ストッパ先端部３２の幅方向の一方端側に繋がっている。したがって、図３に示すように、ストッパ３０は全体として水平断面Ｌ型に形成されている。また、側板部３６は、図２に示すように、先端部３２の厚さ（上下方向の寸法）よりも上下方向に大きく（幅広に）形成されるとともに、上下２箇所にネジ２５用の挿通孔３５が形成されている。この挿通孔３５の位置に合わせて、固定部１６の外側面にネジ孔２２が形成されている。
【００５４】
このように構成されたストッパ３０は、まず、その先端部３２を起歪体１２の貫通孔１３に挿通させるとともに、先端部３２の先端３２ａを可動部１７の凹部１９内に配置し、側板部３６を固定部１６の外側面に面接触させる。このとき、ストッパ３０の先端部３２が起歪体１２よりも幅広に形成されているので、ストッパ３０の先端部３２の左右の側縁部３２ｂは、起歪体１２の可動部１７の両側に突出した状態になる。次に、突出部分である側縁部３２ｂ（図３参照）に位置決め用の治具（不図示）を当てて、先端部３２と凹部１９の上下面とのクリアランスを調整した後、その状態を保ったまま、ネジ２５を挿通孔３５に挿通しネジ孔２２に締め付ける。これにより、ストッパ３０が起歪体１２（の凹部１９）に対し位置決めされた状態で固定される。
【００５５】
次に、ストッパ３０の作用について説明する。
【００５６】
ロードセル１０では、ストッパ３０の先端部３２が起歪体１２の可動部１７よりも幅広に形成されて、ストッパ先端部３２の左右の側縁部３２ｂが、図３符号３２ｂに示すように、可動部１７の両外側に突出した形態になっている。このため、ロードセル１０において、可動部１７に垂直方向の過荷重が作用した場合、可動部１７の凹部１９の下面または上面がストッパ３０の先端部３２の上面または下面に当接し、起歪体１２への過荷重の伝達が防止されて、薄肉部１８の過剰変形が抑制される。
【００５７】
また、このロードセル１０において、可動部１７にねじれ方向の過荷重が作用した場合には、起歪体１２の幅方向端部である、凹部１９の延在方向の端部（エッジ部）１９ａが最大に変位して、このエッジ部１９ａがストッパ先端部３２に当接する位置に最大荷重が伝達されるが、エッジ部１９ａの上下に対向する位置では、ストッパ３０の先端部３２が面積を有している。即ち、エッジ部１９ａの上下に対向する位置には、ストッパ部３０の先端部３２の平面領域が延在している。このため、起歪体１２にねじれ方向の過荷重が加わった場合には、エッジ部１９ａがストッパ３０の先端部３２（の平面領域）に必ず当接して、所定値以上の過過荷重が起歪体１２に伝達されず、薄肉部１８の過剰変形が抑制される。
【００５８】
このように本実施の形態によれば、垂直方向の過荷重に対してだけでなく、ねじれ方向の過荷重に対しても、薄肉部の過剰変形を抑制する上で有効である。
【００５９】
また、下ビーム１５の薄肉部１８（１８ａ，１８ｂ）には、起歪体１２の幅方向中央位置に円孔１００が設けられることで、ロードセル１０のそれぞれの薄肉部１８に発生するエッジロードの大きさが小さくなって、測定誤差、測定値が安定するまでの時間等のロードセル１０の性能が改善されている。
【００６０】
即ち、前記したように、上ビーム１４の引張側の薄肉部１８（１８ａ）および圧縮側の薄肉部１８（１８ｂ）には、それぞれ２個の歪ゲージ２０が貼り付けられているが、歪ゲージ２０を接着しない下ビーム１５の引張側の薄肉部１８（１８ａ）および圧縮側の薄肉部１８（１８ｂ）には、円孔１００がそれぞれ設けられている。
【００６１】
以下、下ビーム１５の薄肉部１８（１８ａ，１８ｂ）に円孔１００を設けることで、ロードセル１０の性能が改善されるという作用について説明する。
【００６２】
ロードセル（起歪体）１０の４箇所の薄肉部１８のうち、歪ゲージ２０が接着された上側の２箇所の薄肉部（孔１００を設けない薄肉部）１８では、「薄肉部１８の両端部には、図７（ｃ）の符号Ｈ１に示すように、相対的に大きい値のエッジロードが発生し、薄肉部１８の幅方向の応力がバランスして安定するまでの時間は相対的に長い」という本来の特性もちち、一方、円孔１００を設けた下側の２箇所の薄肉部１８では、「薄肉部１８の両端部に加えて円孔１００の周縁端部の４箇所でエッジロードが発生するものの、それぞれのエッジロードの大きさは、上側の薄肉部１８で発生するエッジロードの大きさよりも小さく、薄肉部１８の幅方向の応力がバランスして安定するまでの時間は相対的に短い」という本来の特性をもつ。
【００６３】
然るに、ロードセル１０（起歪体１２）は、薄肉部１８を支点とするロバーバル機構を構成するため、４箇所の薄肉部１８は全てほぼ同一の特性となるように自動的に調整される。詳しくは、孔１００を設けた２箇所の薄肉部１８では、歪ゲージ２０が接着された２箇所の薄肉部１８（孔１００を設けない薄肉部１８）の特性の影響を受けて、孔１００を設けた薄肉部１８本来の特性よりも、エッジロードの値が大きくなり、薄肉部１８の幅方向の応力がバランスして安定するまでの時間が延びるの対し、歪ゲージ２０を接着した２箇所の薄肉部（孔１００を設けない薄肉部１８）では、孔１００を設けた２箇所の薄肉部１８の特性の影響を受けて、孔１００を設けない薄肉部１８本来の特性よりも、エッジロードの値が小さくなり、薄肉部１８の幅方向の応力がバランスして安定するまでの時間も短縮されたものとなる。
【００６４】
詳しくは、歪ゲージ２０を接着した上側２箇所の薄肉部１８の本来の特性（エッジロードの値が相対的に大きく、薄肉部の幅方向の応力が安定するまでの時間が相対的に長い）と、円孔１００を設けた下側２箇所の薄肉部１８の本来の特性（エッジロードの値が相対的に小さく、薄肉部の幅方向の応力が安定するまでの時間が相対的に短い）が互いに影響を受けることで、上側２箇所の薄肉部１８では、図７（ｂ）の符号Ｈ２に示すように、本来の特性（図７（ｃ）の符号Ｈ１参照）よりも、エッジロードの値が小さく（Ｈ２＜Ｈ１）なり、薄肉部の幅方向の応力がバランスして安定するまでの時間も短くなる。
【００６５】
即ち、従来のロードセル（起歪体）に比べて、第１には、上側の薄肉部１８に発生するエッジロードの値がＨ１からＨ２に低下する分、歪ゲージ２０が応力を感受するときに、エッジロードの影響を受けにくく、それだけ測定誤差が少なくなる。
【００６６】
第２には、上側の薄肉部１８に発生するエッジロードは、従来のロードセル（起歪体）に比べて各エッジロードの値Ｈ２が小さく（Ｈ２＜Ｈ１）なる分、薄肉部の幅方向の応力がバランスして安定するまでの時間が短縮される。
【００６７】
また、薄肉部１８に発生する応力がバランスして安定するまでの時間（測定を開始できるまでの時間）が短縮されることについては、以下のように説明することもできる。
【００６８】
即ち、ロードセル１０の４箇所の薄肉部１８では、円孔１００の有無によってエッジロードの大きさ、薄肉部の剛性および重さが異なる。このため、ロードセル１０に荷重が負荷された場合、円孔１００の有無によって薄肉部１８がそれぞれ違う動きをし、相互の異なる動きが干渉し合って薄肉部１８の動き（ロバーバル機構の動き）を収束する力が働く。この結果、薄肉部１８の動き（ロバーバル機構の動き）が止まり、応力安定状態に達するまでの時間が短縮される、とも考えられる。
【００６９】
また、薄肉部１８は、横（側方）から見て、外側直線・内側円弧状に形成されて、内側円弧Ｒの頂点Ｐに最大応力が発生するように設計されて、ロバーバル変形の起点でもある。そして、薄肉部１８が変形する際の円弧Ｒの頂点Ｐに発生する応力は、内側円弧Ｒの頂点Ｐ近傍では厚さがほほ同じであるため、内側円弧Ｒの頂点Ｐ近辺を起点としてロバーバル変形していると考えられる。
【００７０】
然るに、円孔１００を設けた下側の薄肉部１８では、図６（ａ）に示すように、薄肉部１８を平面視して起歪体１２の幅方向の中心に円孔１００があるため、薄肉部１８における円孔１００を挟んだ左右の領域であって円孔１００の中心Ｏ１を通り左右に延びる最小面積となる横断面（符号Ｌ−Ｌで示す断面）に最大応力が発生する。さらにこの横断面位置Ｌ−Ｌは、薄肉部１８を横（側方）から見た場合の内側円弧Ｒの頂点Ｐと一致する。
【００７１】
従って、内側円弧Ｒの頂点Ｐに一致するこの横断面には確実に最大応力が生じ、この横断面が確実にロバーバル変形の起点となる。そして、下側の２箇所の薄肉部１８の内側円弧Ｒのそれぞれの頂点Ｐが必ずロバーバル変形の起点となることで、上側の２箇所の薄肉部１８も下側の２箇所の薄肉部１８に倣うように、薄肉部１８の内側円弧Ｒのそれぞれの頂点Ｐを起点としてロバーバル変形する。即ち、薄肉部に円孔１００を設けていない従来のロードセル（起歪体）に比べて、ロバーバル変形の正確性および再現性も上がる、と考えられる。
【００７２】
また、図８は、第１の実施の形態のロードセル１０を組み込んだ四隅誤差測定装置を示し、（ａ）は同装置の断面図、（ｂ）は偏荷重の作用位置を示す同装置の平面図、図９は、ロードセル１０の四隅誤差を従来のロードセル（比較例）の四隅誤差と比較して示す図で、（ａ）はロードセル１０の四隅誤差を示し、（ｂ）は従来のロードセル（比較例）の四隅誤差を示す。
【００７３】
これらの図において、四隅誤差測定装置は、図８（ａ）に示すように、ロードセル１０は、その固定部１６がベースプレートに固定されて片持ち状に水平に配設され、ロードセル１０の可動部１７に平面視正方形状の秤量皿が固定された構造で、図８（ｂ）に示すように、秤量皿の中央部に荷重を作用させたときの値を基準として、符号Ａ，Ｂ，Ｃ，Ｄで示す四箇所に荷重を作用させた場合のそれぞれの「ずれ量」をロードセル１０で測定するように構成されている。
【００７４】
従来のロードセルの場合は、図９（ｂ）に示すように、負荷荷重の増加に伴って、＋方向のずれ，−方向のずれがいずれも略二次元的に増加するのに対し、本実施の形態のロードセル１０では、図９（ａ）に示すように、負荷荷重の増加に伴って、＋方向のずれ，−方向のずれの増加の割合が、従来のロードセルの場合と比べて少ない。特に、１／３秤量までは、従来のロードセルとほぼ同じずれ量を示すが、２／３秤量，３／３秤量と順次秤量が増加すると、従来のロードセルでは、＋方向、−方向いずれの方向の「ずれ」も急激に増加するのに対し、本実施の形態のロードセル１０では、僅かに増加するにとどまる。
【００７５】
即ち、本実施の形態のロードセル１０では、偏荷重が作用した場合の四隅誤差が従来のロードセルに比べて圧倒的に少ない。
【００７６】
この偏荷重が作用した場合の四隅誤差が従来のロードセルと比べて少なくなることは、以下のように説明できる。
【００７７】
偏荷重が作用するとロードセル１０（起歪体１２）は、ロードセル１０（起歪体１２）の幅方向中央に前後に延びる仮想中立軸を中心として回転する。従来のロードセルでは、この仮想中立軸はロードセル（起歪体）の幅方向中央付近というだけで、その位置は明確に決まっているものではない。しかも薄肉部の幅方向両端部に発生したエッジロードが中央部付近の応力に影響を及ぼすため、これが測定誤差となるし、薄肉部における幅方向の応力がバランスして安定するまで測定値も安定しない（偏荷重が負荷として作用する場合も、測定値が安定するまで所定の時間がかかる）。
【００７８】
然るに、ロードセル１０（起歪体１２）では、下側の前後方向の２箇所の薄肉部１８（１８ａ，１８ｂ）の幅方向中央部に円孔１００をそれぞれ設けることで、従来のロードセルでは明確でなかった、ねじりの回転中心となる前後に延びる仮想中立軸がロードセル１０（起歪体１２）の幅方向中央に正確に位置決めされることとなって、偏荷重作用時のロードセル１０（起歪体１２）のねじり回転の正確性および再現性が上がり、誤差が低減する、と考えられる。
【００７９】
図１０，１１は、第１の実施形態のロードセル１０を適用した電子天秤を示し、図１０は同電子天秤の斜視図、図１１は同電子天秤の縦断面図（図１０に示すＸＩ−ＸＩ線に沿う断面図）である。
【００８０】
電子天秤９０は、平面視略矩形状に形成された合成樹脂製の秤本体ケース１０２の上面にその固定部１６が固定されて、水平に片持ち梁状に配設されたロードセル１０と、ロードセル１０の可動部１７に連結された計量皿１３０と、秤本体ケース１０２に一体成形された中空立壁状の表示部１０５内に設けられて、ロードセル１０で検出した出力を演算処理等する電子回路基板（図示せず）とを備えて構成されている。なお、符号１３１は、計量皿１３０（皿本体１３２）をロードセル１０の可動部１７に固定する固定ネジ、符号１０４は、ロードセル１０の固定部１６を秤本体ケース１０２上面壁に固定する固定ネジである。また、図１１において、過荷重防止用ストッパ３０については、図示を省略している。
【００８１】
ロードセル１０（起歪体１２）の固定部１６には、ロードセル２０と電子回路基板とを接続する電気配線１１０を挿通するための上下貫通孔１６ａが設けられ、該上下貫通孔１６ａは、秤本体ケース１０２内に連通している。
【００８２】
即ち、ロードセル１０（起歪体１２）の上側の薄肉部１８，１８の上面には歪ゲージ２０が貼り付けられるとともに、固定部１６の上面には、歪ゲージ２０と電気的に接続された、出力補償用抵抗等のブリッジ回路を構成するフレキシブルプリント配線板１２０が貼り付けられている。
【００８３】
そして、フレキシブルプリント配線板１２０から導出する電気配線１２２が上下貫通孔１６ａを貫通して秤本体ケース１０２内に導出し、秤本体ケース１０２に一体化された中空の表示部５０内の電子回路基板（図示せず）に接続されている。
【００８４】
ロードセル１０（起歪体１２）の上面側には、電装部品（歪ゲージ２０やフレキシブルプリント配線板１２０）や電気配線１２２を覆うシリコン絶縁被覆１２４が形成されて、これらの電装部品の導電部における絶縁と防水が確保されている。
【００８５】
さらには、上下貫通孔１６ａには、密閉手段であるシリコン材１２４ａが装填されて、秤本体ケース１２内が確実に密閉されている。
【００８６】
また、秤本体ケース１０２の正面側には、ロードセル１０の一側面に沿って延在する中空立壁状の表示部１０５が該秤本体ケース１０２に一体的に設けられている。中空の表示部１０５の前面側には、液晶画面１０６が設けられ、表示部１０５内の液晶画面１０６裏面側には、ロードセル１０で検出した出力を演算処理するとともに、液晶画面１０６に表示するデータを制御する電子回路基板（図示せず）が配置されている。
【００８７】
一方、秤本体ケース１０２背面側のコーナ部には、左右一対の中空突出部１０７が中空の表示部１０５と同一高さに形成されて、秤本体ケース１０２の上面に、中空の表示部１０５と左右一対の中空突出部１０７，１０７に囲まれたロードセル収容室Ｓが形成されている。中空突出部１０５の外側面は、秤本体ケース１０２の外側面と面一に形成されて、電子天秤１００の側方および後方からの外観意匠の統一が図られている。
【００８８】
被測定物を載せる計量皿１３０は、ロードセル１０の可動部１７に連結される透明合成樹脂製の皿本体１３２と、皿本体１３２の上面側を覆う合成樹脂製の皿カバー１３４で構成されている。皿本体１３２は、段付きプレート状の天板部１３５と筒形状の透明カバー１３６が一体成形されている。天板部１３５は、ロードセル１０の可動部１７の上面に連結される。また、天板部１３５は皿カバー１３４と略同形状に形成されており、皿本体１３２（天板部１３５）に対し皿カバー１３４が着脱自在に被着されている。
【００８９】
透明カバー１３６は、ロードセル配設空間Ｓに配設されるロードセル１０の周りを余裕をもって囲むことのできる大きさに形成される。また、透明カバー１３６は、その下端が秤本体ケース１０２の上方に配置されるとともに秤本体ケース１０２の上面に対して所定のクリアランスを持って配置されている。
【００９０】
このため、ロードセル配設空間Ｓが汚れた場合には、透明カバー１３６を通して外部から汚れが視認できるので、必要に応じて計量皿１３０（皿本体１３２）と一体に透明カバー１３６を取り外して、ロードセル配設空間Ｓ全体を開放し、ロードセル２０周辺領域の汚れを水等で簡単に洗浄できる。
【００９１】
また、下ビーム１５の２箇所の薄肉部１８には、それぞれ円孔１００が設けられているが、この円孔１００が洗浄水の排水孔として作用するので、ロードセル配設空間Ｓを水で洗浄する場合、薄肉部１８の貫通孔１３形成位置に水滴が残りにくい。
【００９２】
また、防水を必要とする歪ゲージ２０やフレキシブルプリント配線板１２０等は、ロードセル１０（起歪体１２）の上面に設けられているので、ロードセル２０周辺領域を水等で洗浄する際に濡れるおそれもない。
【００９３】
図１０は、請求項２に対応する第２の実施形態のロードセルの縦断面図である。
【００９４】
この第２の実施形態のロードセル１０Ａでは、下ビーム１５の２箇所の薄肉部１８（１８ａ，１８ｂ）には、歪ゲージ２０がそれぞれ接着されるとともに、上ビーム１４の２箇所の薄肉部１８（１８ａ，１８ｂ）には、起歪体１２の幅方向中央位置に円孔１００がそれぞれ設けられている。
【００９５】
その他の構造は、前記した第１の実施形態のロードセル１０と同一であるので、同様の構成・作用を有する部材については、同じ符号を付して説明を省略する。
【００９６】
図１２は、請求項３に対応する第３の実施形態のロードセルの縦断面図である。
【００９７】
この第３の実施形態のロードセル１０Ｂでは、上下一対のビーム１４，１５の固定部１６寄りの薄肉部１８（１８ａ，１８ｂ）には、歪ゲージ２０がそれぞれ接着されるとともに、上下一対のビーム１４，１５の可動部１７寄りの薄肉部１８（１８ａ，１８ｂ）には、起歪体１２の幅方向中央位置に円孔１００がそれぞれ設けられている。
【００９８】
その他の構造は、前記した第１の実施形態のロードセル１０と同一であるので、同様の構成・作用を有する部材については、同じ符号を付して説明を省略する。
【００９９】
図１４は、請求項５に対応する第４の実施形態のロードセルの縦断面図である。
【０１００】
この第４の実施形態のロードセル１０ｃでは、上下一対のビーム１４，１５の可動部１７寄りの薄肉部１８（１８ａ，１８ｂ）には、歪ゲージ２０がそれぞれ接着されるとともに、上下一対のビーム１４，１５の固定部１６寄りの薄肉部１８（１８ａ，１８ｂ）には、起歪体の幅方向中央位置に円孔１００がそれぞれ設けられている。
【０１０１】
その他の構造は、前記した第１の実施形態のロードセル１０と同一であるので、同様の構成・作用を有する部材については、同じ符号を付して説明を省略する。
【０１０２】
なお、前記した第１〜第４の実施の形態では、薄肉部１８に設ける孔１００を円形として説明したが、楕円などの「略円形」であればよい。
【０１０３】
また、薄肉部１８に設ける孔１００の形状は、矩形などの略円形以外の形状であっても、円孔１００と同様の作用・効果が奏されるが、薄肉部１８に矩形の孔等の「略円形」以外の孔を設けるための加工が難しく、それだけ費用と時間がかかるため、「略円形」の孔であることが望ましい。
【０１０４】
また、薄肉部１８に設ける円孔１００などの略円形の孔の幅方向の長さＷ１は、図６（ａ）に示すように、歪ゲージ２０を接着する薄肉部１８に発生するエッジロードの値が小さくなって、ロードセル（起歪体１２）のロバーバル機構としての適正な動作を保証できる大きさであればよく、例えば、起歪体１２の幅Ｗに対し略０，１Ｗ〜略０．８Ｗの範囲が望ましい。
【０１０５】
略円形の孔の幅方向の長さＷ１が略０，１Ｗ未満では、孔が小さすぎて、孔の周縁端部にはエッジロードではなく、応力集中に伴う過大応力が発生し、ロバーバル機構が成立しない。一方、略円形の孔の幅方向の長さＷ１が略０．８Ｗを超えると、孔の周縁端部と薄肉部の左右の端部間の距離が接近し過ぎるため、接近して発生するエッジロード同士が重なり合って、薄肉部に応力集中に伴う過大応力が発生し、ロバーバル機構が成立しない。
【０１０６】
また、略円形の孔を設ける薄肉部１８の厚さについては、薄肉部の強度を補うために、歪ゲージ２０を接着する薄肉部（略円形の孔を設けない薄肉部）１８よりも厚く形成してもよい。
【符号の説明】
【０１０７】
１０，１０Ａ，１０Ｂ，１０Ｃ  ロードセル
１２  起歪体
１３  貫通孔
１４  上ビーム
１５  下ビーム
１６  固定部
１７  可動部
１８  薄肉部
１８ａ  引張側薄肉部
１８ｂ  圧縮側薄肉部
１９  凹部
１９ａ  凹部のエッジ部
２０  歪ゲージ
３０  過荷重防止用ストッパ
３２  ストッパ先端部
９０  電子天秤
１００  円孔
【図１】
2014073110.tif 000003
【図２】
2014073110.tif 000004
【図３】
2014073110.tif 000005
【図４】
2014073110.tif 000006
【図５】
2014073110.tif 000007
【図６】
2014073110.tif 000008
【図７】
2014073110.tif 000009
【図８】
2014073110.tif 000010
【図９】
2014073110.tif 000011
【図１０】
2014073110.tif 000012
【図１１】
2014073110.tif 000013
【図１２】
2014073110.tif 000014
【図１３】
2014073110.tif 000015
【図１４】
2014073110.tif 000016
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
長手方向前後２箇所に薄肉部をそれぞれ設けた上下一対の平行ビームの端部が固定部と可動部で接続されてロバーバル機構を構成する起歪体と、前記薄肉部に接着された歪ゲージとを備えたロバーバル型ロードセルにおいて、
前記可動部に下向き荷重が作用した場合には、前記全４箇所の薄肉部のうち、上ビームの可動部寄りの薄肉部および下ビームの固定部寄りの薄肉部には圧縮応力がそれぞれ作用し、上ビームの固定部寄りの薄肉部および下ビームの可動部寄りの薄肉部には引張応力がそれぞれ作用するが、
前記引張応力が作用する薄肉部２箇所のうちのいずれか一方、および前記圧縮応力が作用する薄肉部２箇所のうちのいずれか一方には、前記歪ゲージがそれぞれ接着されるとともに、前記歪ゲージを接着しない残りの薄肉部２箇所の幅方向中央部には、略円形の貫通孔がそれぞれ設けられたことを特徴とするロバーバル型ロードセル。
【請求項２】
前記上ビームの２箇所の薄肉部には、前記歪ゲージがそれぞれ接着されるとともに、前記下ビームの２箇所の薄肉部には、前記略円形の貫通孔がそれぞれ設けられたことを特徴とする請求項１に記載のロバーバル型ロードセル。
【請求項３】
前記下ビームの２箇所の薄肉部には、前記歪ゲージがそれぞれ接着されるとともに、前記上ビームの２箇所の薄肉部には、前記略円形の貫通孔がそれぞれ設けられたことを特徴とする請求項１に記載のロバーバル型ロードセル。
【請求項４】
前記上下一対のビームの固定部寄りのそれぞれの薄肉部には、前記歪ゲージがそれぞれ接着されるとともに、前記上下一対のビームの可動部寄りのそれぞれの薄肉部には、前記略円形の貫通孔がそれぞれ設けられたことを特徴とする請求項１に記載のロバーバル型ロードセル。
【請求項５】
前記上下一対のビームの可動部寄りのそれぞれの薄肉部には、前記歪ゲージがそれぞれ接着されるとともに、前記上下一対のビームの固定部寄りのそれぞれの薄肉部には、前記略円形の貫通孔がそれぞれ設けられたことを特徴とする請求項１に記載のロバーバル型ロードセル。
【手続補正２】
【補正対象書類名】明細書
【補正対象項目名】０００４
【補正方法】変更
【補正の内容】
【０００４】
いることを示唆している。
［００１８］
このように、従来のロードセルでは、薄肉部に発生するエッジロードが「測定誤差」や「測定値が安定するまでの時間」といった、ロードセルの性能に関連することから、発明者は、薄肉部に発生するエッジロードを小さくできれば、ロードセルの性能を改善できるのではないかと考えた。
［００１９］
そこで、発明者は、先ず、薄肉部に円形の貫通孔（以下、円孔という）を設けた場合に、薄肉部に発生するエッジロードがどのようになるか、薄肉部に発生する応力が安定するまでの時間はどう変わるか等を検討する過程で、従来構造のロードセルを構成する起歪体の下ビームの２箇所の薄肉部にだけ円孔を設けたロバーバル機構を試作した。
［００２０］
即ち、起歪体の上ビームの２箇所の薄肉部（円孔を設けない薄肉部）には歪ゲージをそれぞれ接着し、歪ゲージを接着しない下ビームの２箇所の薄肉部の幅方向中央部には円孔をそれぞれ設けたロードセルを試作し、孔を設けた薄肉部および孔を設けない薄肉部にそれぞれ発生する応力を有限要素法により解析した。
［００２１］
すると、孔を設けた薄肉部では、図７（ａ）に示すように、孔周縁部の２箇所が新たな端部（エッジ部）となって、全４箇所の端部（エッジ部）においてエッジロードが発生した。このエッジロードの値Ｈ３は、従来のロードセル（起歪体）の薄肉部に発生するエッジロードの値Ｈ１（図７（ｃ）参照）よりも低い値（Ｈ３＜Ｈ１）であった。
［００２２］
一方、孔を設けない薄肉部では、図７（ｂ）に示すように、従来のロードセルにおける薄肉部で発生する応力分布（図７（ｃ）参照）と同じような応力分布となるが、端部（エッジ部）に発生するエッジロードの値Ｈ２が、従来のロードセルのエッジロードの値Ｈ１よりも僅かに低かった（Ｈ３＜Ｈ２＜Ｈ１）。
［００２３］
これは、孔を設けることでエッジロードの値が小さくなる等、２箇所の薄肉部の特性が変化することで、孔を設けない他の２箇所の薄肉部の特性に影響を与えたものと推察される。
【手続補正３】
【補正対象書類名】明細書
【補正対象項目名】０００５
【補正方法】変更
【補正の内容】
【０００５】
［００２４］
そして、試作したロードセルでは、従来のロードセルに比べて測定誤差が少なく、測定値が安定するまでの時間も短縮される等、ロードセルの性能を改善する上で有効であることが確認されたことを受けて、この度の特許出願に至ったものである。
［００２５］
本発明は、前記した従来の問題点および発明者の前記した知見に基づいてなされたもので、その目的は、ロードセルの４箇所の薄肉部のうちの２箇所に孔を設けることで、ロードセルの基本性能を向上させることにある。
課題を解決するための手段
［００２６］
前記した目的を達成するために、請求項１に係るロバーバル型ロードセルにおいては、長手方向前後２箇所に薄肉部をそれぞれ設けた上下一対の平行ビームの端部が固定部と可動部で接続されてロバーバル機構を構成する起歪体と、前記薄肉部に接着された歪ゲージとを備えたロバーバル型ロードセルにおいて、
前記可動部に下向き荷重が作用した場合には、前記全４箇所の薄肉部のうち、上ビームの可動部寄りの薄肉部および下ビームの固定部寄りの薄肉部には圧縮応力がそれぞれ作用し、上ビームの固定部寄りの薄肉部および下ビームの可動部寄りの薄肉部には引張応力がそれぞれ作用するが、
前記引張応力が作用する薄肉部２箇所のうちのいずれか一方、および前記圧縮応力が作用する薄肉部２箇所のうちのいずれか一方には、前記歪ゲージをそれぞれ接着するとともに、前記歪ゲージを接着しない残りの薄肉部２箇所の幅方向中央部には、略円形の貫通孔（以下、単に孔という）をそれぞれ設けるように構成した。
［００２７］
（作用）従来のロードセル（起歪体）に荷重を負荷すると、薄肉部の両端部の２箇所にエッジロードが発生する（図７（ｃ）参照）。一方、従来のロードセル（起歪体）の薄肉部の幅方向中央部に略円形の孔を設けると、薄肉部の両端部と孔の周縁端部の全４箇所にエッジロードが発生し、従来のロードセルの薄肉部で発生するエッジロードよりもその値が小さくなる。
［００２８］
即ち、本発明のロードセル（起歪体）における、歪ゲージが接着された２箇所の薄肉部（孔を設けない薄肉部）では、「薄肉部の両端部で相対的に値
【手続補正４】
【補正対象書類名】明細書
【補正対象項目名】０００８
【補正方法】変更
【補正の内容】
【０００８】
［００３８］
また、起歪体の４箇所の薄肉部のうちのどの薄肉部２箇所に孔を設けるかによって、請求項２〜５に示す、以下の４つの形態がある。
［００３９］
即ち、請求項２においては、請求項１に記載のロバーバル型ロードセルにおいて、前記上ビームの２箇所の薄肉部に前記歪ゲージをそれぞれ接着するとともに、前記下ビームの２箇所の薄肉部に前記略円形の孔をそれぞれ設けるように構成した。
［００４０］
また、請求項３においては、請求項１に記載のロバーバル型ロードセルにおいて、前記下ビームの２箇所の薄肉部に前記歪ゲージをそれぞれ接着するとともに、前記上ビームの２箇所の薄肉部に前記略円形の孔をそれぞれ設けるように構成した。
［００４１］
また、請求項４においては、請求項１に記載のロバーバル型ロードセルにおいて、前記上下一対のビームの固定部寄りのそれぞれの薄肉部に前記歪ゲージをそれぞれ接着するとともに、前記上下一対のビームの可動部寄りのそれぞれの薄肉部に前記略円形の孔をそれぞれ設けるように構成した。
［００４２］
また、請求項５においては、請求項１に記載のロバーバル型ロードセルにおいて、前記上下一対のビームの可動部寄りのそれぞれの薄肉部に前記歪ゲージをそれぞれ接着するとともに、前記上下一対のビームの固定部寄りのそれぞれの薄肉部に前記略円形の孔をそれぞれ設けるように構成した。
発明の効果
［００４３］
本発明のロバーバル型ロードセルによれば、測定誤差、測定開始可能時間、ロバーバル変形の正確性や再現性等の基本性能に優れたロードセルが提供される。
［００４４］
また、本体ケース上に本発明に係るロバーバル型ロードセルが配設されるなど、本体ケースの外部にロードセルが露呈している電子天秤であって、ロードセルの周辺領域の水洗いが可能な電子天秤では、下ビームの薄肉部に設けた孔が排水孔として機能するので、ロードセル（起歪体）の下ビームに水が残りにくく、さらに、水洗いの際に歪ゲージに水がかかりにくいという点で、請求項２の発明が特に有効である。
【手続補正５】
【補正対象書類名】明細書
【補正対象項目名】０００９
【補正方法】変更
【補正の内容】
【０００９】
図面の簡単な説明
［００４５］
［図１］第１の実施形態のロードセルを示す斜視図である。
［図２］同ロードセルの分解斜視図である。
［図３］図１のＩＩＩ−ＩＩＩ線に沿うロードセルの断面図である。
［図４］底面側から見た同ロードセルの斜視図である。
［図５］同ロードセル（起歪体）の縦断面図（図２のＶ−Ｖ線に沿う断面図）である。
［図６］同ロードセル（起歪体）の薄肉部を拡大して示す図で、（ａ）は薄肉部の平面図（図５のＶＩ−ＶＩ線に沿う断面図）、（ｂ）は薄肉部の側面図である。
［図７］同ロードセルの薄肉部に発生する応力を従来のロードセル（比較例）の薄肉部に発生する応力と比較して示す図で、（ａ）は同ロードセルの下ビームの薄肉部（孔を設けた薄肉部）に発生する応力を示す斜視図、（ｂ）は同ロードセルの上ビームの薄肉部（孔を設けない薄肉部）に発生する応力を示す斜視図、（ｃ）は従来のロードセル（比較例）の薄肉部に発生する応力を示す斜視図である。
［図８］同ロードセルを組み込んだ四隅誤差測定装置を示し、（ａ）は同測定装置の断面図、（ｂ）は偏荷重の作用位置を示す同測定装置の平面図である。
［図９］同ロードセルの四隅誤差を従来のロードセル（比較例）の四隅誤差と比較して示す図で、（ａ）は同ロードセルの四隅誤差を示す図、（ｂ）は従来のロードセル（比較例）の四隅誤差を示す図である。
［図１０］第１の実施形態のロードセルを適用した電子天秤の斜視図である。
［図１１］同電子天秤の縦断面図（図１０に示すＸＩ−ＸＩ線に沿う断面図）である。
［図１２］第２の実施形態のロードセルの縦断面図である。
［図１３］第３の実施形態のロードセルの縦断面図である。
［図１４］第４の実施形態のロードセルの縦断面図である。
発明を実施するための形態
［００４６］
以下、添付図面に従って、本発明に係るロードセルの好ましい実施形態に
【手続補正６】
【補正対象書類名】明細書
【補正対象項目名】００１０
【補正方法】変更
【補正の内容】
【００１０】
ついて説明する。図１は、本発明が適用された第１の実施形態のロバーバル型ロードセル１０を示す斜視図であり、図２は、同ロードセルの分解斜視図、図３は、同ロードセルの水平断面図（図１のＩＩＩ−ＩＩＩ線に沿う断面図）、図４は、底面側から見た同ロードセルの斜視図、図５は、同ロードセルの縦断面図（図２のＶ−Ｖ線に沿う断面図）、図６は同ロードセル（起歪体）の薄肉部を拡大して示す図で、（ａ）は薄肉部の平面図（図５のＶＩ−ＶＩ線に沿う断面図）、（ｂ）は薄肉部の側面図である。
［００４７］
これらの図に示すように、ロードセル１０は主として、起歪体１２、歪ゲージ２０、過荷重防止用ストッパ３０で構成される。
［００４８］
起歪体１２は、アルミ等の金属材から成り、たとえば一定形状に押し出し成形したものを一定の幅で切断し、必要に応じて切削加工することによって製造される。この起歪体１２には、幅方向（矢印α方向）に貫通する略眼鏡状の貫通孔１３が形成されており、この貫通孔１３が形成されることによって、起歪体１２は、平行に配設された上ビーム１４と下ビーム１５、上下一対のビーム１４，１５の両端部をそれぞれ接続する固定部１６と可動部１７、上ビーム１４と下ビーム１５のそれぞれ対向する位置に設けられた２個所の薄肉部１８を備えたロバーバル機構を構成している。薄肉部１８は合計４個所形成されており、可動部１７に負荷をかけて起歪体１２が変形した際に２個の薄肉部１８は引っ張られ、残りの２個の薄肉部１８は圧縮される。
［００４９］
図１において、引張側の薄肉部は１８ａ、圧縮側の薄肉部は１８ｂとして示されており、本実施の形態では、上ビーム１４の引張側（図の右側）の薄肉部１８（１８ａ）および圧縮側（図の左側）の薄肉部１８（１８ｂ）にそれぞれ２個の歪ゲージ２０が貼り付けられている。歪ゲージ２０は、電気的に接続されてブリッジ回路が構成されている。
［００５０］
一方、固定部１６は、ケース等の装置本体（不図示）に固定される部分であり、本実施の形態では、底面にネジ孔（不図示）が形成され、下側からネジ止めされて装置本体に固定される。起歪体１２における固定部１６の反対側には、可動部１７が設けられている。可動部１７は、秤量皿（不図示）が
【手続補正７】
【補正対象書類名】明細書
【補正対象項目名】００１３
【補正方法】変更
【補正の内容】
【００１３】
ある。
［００５９］
また、下ビーム１５の薄肉部１８（１８ａ，１８ｂ）には、起歪体１２の幅方向中央位置に該薄肉部１８を上下方向に貫通する円孔１００が設けられることで、ロードセル１０のそれぞれの薄肉部１８に発生するエッジロードの大きさが小さくなって、測定誤差、測定値が安定するまでの時間等のロードセル１０の性能が改善されている。
［００６０］
即ち、前記したように、上ビーム１４の引張側の薄肉部１８（１８ａ）および圧縮側の薄肉部１８（１８ｂ）には、それぞれ２個の歪ゲージ２０が貼り付けられているが、歪ゲージ２０を接着しない下ビーム１５の引張側の薄肉部１８（１８ａ）および圧縮側の薄肉部１８（１８ｂ）には、円孔１００がそれぞれ設けられている。
［００６１］
以下、下ビーム１５の薄肉部１８（１８ａ，１８ｂ）に円孔１００を設けることで、ロードセル１０の性能が改善されるという作用について説明する。
［００６２］
ロードセル（起歪体）１０の４箇所の薄肉部１８のうち、歪ゲージ２０が接着された上側の２箇所の薄肉部（孔１００を設けない薄肉部）１８では、「薄肉部１８の両端部には、図７（ｃ）の符号Ｈ１に示すように、相対的に大きい値のエッジロードが発生し、薄肉部１８の幅方向の応力がバランスして安定するまでの時間は相対的に長い」という本来の特性もちち、一方、円孔１００を設けた下側の２箇所の薄肉部１８では、「薄肉部１８の両端部に加えて円孔１００の周縁端部の４箇所でエッジロードが発生するものの、それぞれのエッジロードの大きさは、上側の薄肉部１８で発生するエッジロードの大きさよりも小さく、薄肉部１８の幅方向の応力がバランスして安定するまでの時間は相対的に短い」という本来の特性をもつ。
［００６３］
然るに、ロードセル１０（起歪体１２）は、薄肉部１８を支点とするロバーバル機構を構成するため、４箇所の薄肉部１８は全てほぼ同一の特性となるように自動的に調整される。詳しくは、孔１００を設けた２箇所の薄肉部１８では、歪ゲージ２０が接着された２箇所の薄肉部１８（孔１００を設け
【手続補正８】
【補正対象書類名】明細書
【補正対象項目名】００１９
【補正方法】変更
【補正の内容】
【００１９】
部１３５は、ロードセル１０の可動部１７の上面に連結される。また、天板部１３５は皿カバー１３４と略同形状に形成されており、皿本体１３２（天板部１３５）に対し皿カバー１３４が着脱自在に被着されている。
［００８９］
透明カバー１３６は、ロードセル配設空間Ｓに配設されるロードセル１０の周りを余裕をもって囲むことのできる大きさに形成される。また、透明カバー１３６は、その下端が秤本体ケース１０２の上方に配置されるとともに秤本体ケース１０２の上面に対して所定のクリアランスを持って配置されている。
［００９０］
このため、ロードセル配設空間Ｓが汚れた場合には、透明カバー１３６を通して外部から汚れが視認できるので、必要に応じて計量皿１３０（皿本体１３２）と一体に透明カバー１３６を取り外して、ロードセル配設空間Ｓ全体を開放し、ロードセル２０周辺領域の汚れを水等で簡単に洗浄できる。
［００９１］
また、下ビーム１５の２箇所の薄肉部１８には、それぞれ円孔１００が設けられているが、この円孔１００が洗浄水の排水孔として作用するので、ロードセル配設空間Ｓを水で洗浄する場合、薄肉部１８の貫通孔１３形成位置に水滴が残りにくい。
［００９２］
また、防水を必要とする歪ゲージ２０やフレキシブルプリント配線板１２０等は、ロードセル１０（起歪体１２）の上面に設けられているので、ロードセル２０周辺領域を水等で洗浄する際に濡れるおそれもない。
［００９３］
図１２は、請求項３に対応する第２の実施形態のロードセルの縦断面図である。
［００９４］
この第２の実施形態のロードセル１０Ａでは、下ビーム１５の２箇所の薄肉部１８（１８ａ，１８ｂ）には、歪ゲージ２０がそれぞれ接着されるとともに、上ビーム１４の２箇所の薄肉部１８（１８ａ，１８ｂ）には、起歪体１２の幅方向中央位置に円孔１００がそれぞれ設けられている。
［００９５］
その他の構造は、前記した第１の実施形態のロードセル１０と同一であるので、同様の構成・作用を有する部材については、同じ符号を付して説明を省略する。
【手続補正９】
【補正対象書類名】明細書
【補正対象項目名】００２０
【補正方法】変更
【補正の内容】
【００２０】
［００９６］
図１３は、請求項４に対応する第３の実施形態のロードセルの縦断面図である。
［００９７］
この第３の実施形態のロードセル１０Ｂでは、上下一対のビーム１４，１５の固定部１６寄りの薄肉部１８（１８ａ，１８ｂ）には、歪ゲージ２０がそれぞれ接着されるとともに、上下一対のビーム１４，１５の可動部１７寄りの薄肉部１８（１８ａ，１８ｂ）には、起歪体１２の幅方向中央位置に円孔１００がそれぞれ設けられている。
［００９８］
その他の構造は、前記した第１の実施形態のロードセル１０と同一であるので、同様の構成・作用を有する部材については、同じ符号を付して説明を省略する。
［００９９］
図１４は、請求項５に対応する第４の実施形態のロードセルの縦断面図である。
［０１００］
この第４の実施形態のロードセル１０ｃでは、上下一対のビーム１４，１５の可動部１７寄りの薄肉部１８（１８ａ，１８ｂ）には、歪ゲージ２０がそれぞれ接着されるとともに、上下一対のビーム１４，１５の固定部１６寄りの薄肉部１８（１８ａ，１８ｂ）には、起歪体の幅方向中央位置に円孔１００がそれぞれ設けられている。
［０１０１］
その他の構造は、前記した第１の実施形態のロードセル１０と同一であるので、同様の構成・作用を有する部材については、同じ符号を付して説明を省略する。
［０１０２］
なお、前記した第１〜第４の実施の形態では、薄肉部１８に設ける孔１００を円形として説明したが、楕円などの「略円形」であればよい。
［０１０３］
また、薄肉部１８に設ける孔１００の形状は、矩形などの略円形以外の形状であっても、円孔１００と同様の作用・効果が奏されるが、薄肉部１８に矩形の孔等の「略円形」以外の孔を設けるための加工が難しく、それだけ費用と時間がかかるため、「略円形」の孔であることが望ましい。
［０１０４］
また、薄肉部１８に設ける円孔１００などの略円形の孔の幅方向の長さＷ１は、図６（ａ）に示すように、歪ゲージ２０を接着する薄肉部１８に発生
【手続補正１０】
【補正対象書類名】明細書
【補正対象項目名】００２１
【補正方法】変更
【補正の内容】
【００２１】
するエッジロードの値が小さくなって、ロードセル（起歪体１２）のロバーバル機構としての適正な動作を保証できる大きさであればよく、例えば、起歪体１２の幅Ｗに対し略０．１Ｗ〜略０．８Ｗの範囲が望ましい。
［０１０５］
略円形の孔の幅方向の長さＷ１が略０．１Ｗ未満では、孔が小さすぎて、孔の周縁端部にはエッジロードではなく、応力集中に伴う過大応力が発生し、ロバーバル機構が成立しない。一方、略円形の孔の幅方向の長さＷ１が略０．８Ｗを超えると、孔の周縁端部と薄肉部の左右の端部間の距離が接近し過ぎるため、接近して発生するエッジロード同士が重なり合って、薄肉部に応力集中に伴う過大応力が発生し、ロバーバル機構が成立しない。
［０１０６］
また、略円形の孔を設ける薄肉部１８の厚さについては、薄肉部の強度を補うために、歪ゲージ２０を接着する薄肉部（略円形の孔を設けない薄肉部）１８よりも厚く形成してもよい。
符号の説明
［０１０７］
１０，１０Ａ，１０Ｂ，１０Ｃ  ロードセル
１２  起歪体
１３  貫通孔
１４  上ビーム
１５  下ビーム
１６  固定部
１７  可動部
１８  薄肉部
１８ａ  引張側薄肉部
１８ｂ  圧縮側薄肉部
１９  凹部
１９ａ  凹部のエッジ部
２０  歪ゲージ
３０  過荷重防止用ストッパ
３２  ストッパ先端部
【国際調査報告】
2014073110.tif 000017
2014073110.tif 000018
2014073110.tif 000019
2014073110.tif 000020